(57)【要約】【課題】非接触タグのメモリに格納される表示データの再表示の場合に、リーダライタからのコマンドデータなどに依存することがなく、しかも表示可能なデータを再現表示できるようにした非接触タグの提供。【解決手段】非接触タグ２をリーダライタ１に接近させると、アンテナ２１は、リーダライタ１のアンテナ１４から放射される電磁波または電磁誘導に基づいて電圧を誘起させる。整流回路２４は、その誘起電圧の整流動作を行い、この整流電圧が制御回路２５や表示器２６に電源電圧として供給される。その整流電圧により各部の電源がオン状態になると、この電源のオンに応じて各部がリセットされる。制御回路２５は、不揮発性メモリ２７に記憶される表示データを読み出し、この読み出した表示データを表示器２６に書き込む。これにより、その表示データが表示器２６に表示される。【選択図】  図１
2005234679.tif 000002
【特許請求の範囲】
【請求項１】
電磁誘導または電磁波により、外部からデータおよび電力を受信する受信手段と、
表示用データを格納する不揮発性のメモリと、
前記受信手段で受信した電力で駆動される表示手段と、
前記受信手段が受信する電力で駆動され、この駆動を条件に、前記メモリに格納される表示用データを読み出して前記表示手段に表示させる制御手段と、
を備えていることを特徴とする表示機能付き非接触タグ。
【請求項２】
電磁誘導または電磁波により、外部からデータおよび電力を受信する受信手段と、
表示用データを格納する不揮発性のメモリと、
前記受信手段で受信した電力で駆動される表示手段と、
前記受信手段が受信する電力で駆動され、この駆動開始時には、前記受信手段が受信するコマンドデータの処理に先立って、前記メモリに格納される表示用データを読み出して前記表示手段に表示させる制御手段と、
を備えていることを特徴とする表示機能付き非接触タグ。
【請求項３】
前記制御手段は、さらに、前記メモリに格納される表示データを前記表示手段に表示すべきか否かを判定し、表示すべきと判定した場合に、前記メモリに格納される表示用データを読み出して前記表示手段で表示させるようになっていることを特徴とする請求項１または請求項２に記載の表示機能付き非接触タグ。
【請求項４】
請求項１または請求項３に記載の表示機能付き非接触タグと、リーダライタとからなる非接触タグシステムであって、
前記リーダライタは、
前記表示機能付き非接触タグの前記受信手段に対して、電磁誘導または電磁波で電力を伝送する送信手段を備えていることを特徴とする非接触タグシステム。
【発明の詳細な説明】
【技術分野】
【０００１】
本発明は、リーダライタと組み合わせて使用される非接触タグに関し、特に、表示機能を備えた表示機能付き非接触タグに関するものである。
また、本発明は、その表示機能付き非接触タグとリーダライタとからなる非接触タグシステムに関するものである。
【背景技術】
【０００２】
従来、非接触ＩＣカードやＲＦタグのような非接触タグとリーダライタとからなり、その両者の間で、電磁誘導または電磁波により、データの授受および電力の供給ができるようになっている非接触タグシステム（非接触ＩＣカードシステム）が知られている（例えば特許文献１参照）。
【特許文献１】特開平８−２４１３８３号公報
【発明の開示】
【発明が解決しようとする課題】
【０００３】
ところで、従来の非接触タグシステムに使用される非接触ＩＣカードやＲＦタグのような非接触タグは、表示機能を持っていない。そこで、その非接触タグに表示器を搭載させ、表示機能を持たせることが考えられる。
この場合には、非接触タグをリーダライタの近傍に接近させると、非接触タグがリーダライタから電力の供給を受けられ、表示器が駆動でき所望の表示データの表示が可能となる。一方、非接触タグをリーダライタから遠ざけると、非接触タグはその電力の供給が受けられなくなり、表示器の駆動ができなくなっていったん表示された表示内容が消えてしまう。
【０００４】
このような不具合は、表示器として電源をオフにするとその表示内容が消えてしまう保存性のないＬＣＤなどを使用する場合に著しい。そこで、表示器として電源をオフにしてもその表示内容が維持される保存性のあるもの、例えばマイクロカプセルを用いた電気泳動型の表示器を使用すれば、その表示内容が一定期間だけ維持される。しかし、電気泳動型の表示器は、保存性はあるものの時間の経過とともに徐々にコントラストが悪化していき表示内容が薄くなり、最後にその表示内容が消えてしまう。
【０００５】
このため、非接触タグに表示器を搭載させ、非接触タグのメモリに格納される表示データを表示器に表示させる場合には、ユーザの要望に応じてその表示データを再表示できることが望まれる。その再表示に際しては、リーダライタからのコマンドデータなどに依存することなく再表示でき、しかも、表示可能なデータを再表示することが望まれる。
さらに、上記のような表示機能を備えた非接触タグとリーダライタとの組み合わせからなる新たな非接触タグシステムを構築することが考えられる。この場合には、その非接触タグの再表示のために、新たなリーダライタの出現が望まれる。
【０００６】
そこで、本発明の第１の目的は、上記の点に鑑み、非接触タグのメモリに格納される表示データを再表示する場合に、リーダライタ側からのコマンドデータなどに依存することがなく、しかも表示可能なデータを再表示できるようにした表示機能付き非接触タグを提供することにある。
また、本発明の第２の目的は、非接触タグのメモリに格納される表示データの非接触タグを再表示する場合に、リーダライタ側が簡易な構成であっても、非接触タグ側はその表示データを再表示できるようにした非接触タグシステムを提供することにある。
【課題を解決するための手段】
【０００７】
上記の課題を解決し本発明の目的を達成するために、各発明は、以下のように構成するようにした
すなわち、第１の発明は、電磁誘導または電磁波により、外部からデータおよび電力を受信する受信手段と、表示用データを格納する不揮発性のメモリと、前記受信手段で受信した電力で駆動される表示手段と、前記受信手段が受信する電力で駆動され、この駆動を条件に、前記メモリに格納される表示用データを読み出して前記表示手段に表示させる制御手段と、を備えている。
【０００８】
第２の発明は、電磁誘導または電磁波により、外部からデータおよび電力を受信する受信手段と、表示用データを格納する不揮発性のメモリと、前記受信手段で受信した電力で駆動される表示手段と、前記受信手段が受信する電力で駆動され、この駆動開始時には、前記受信手段が受信するコマンドデータの処理に先立って、前記メモリに格納される表示用データを読み出して前記表示手段に表示させる制御手段と、を備えている。
【０００９】
第３の発明は、第１または第２の発明において、前記制御手段は、さらに、前記メモリに格納される表示データを前記表示手段に表示すべきか否かを判定し、表示すべきと判定した場合に、前記メモリに格納される表示用データを読み出して前記表示手段で表示させるようになっている。
第４の発明は、第１または第３の発明のうちのいずれかの発明である表示機能付き非接触タグと、リーダライタとを備え、前記リーダライタは、前記表示機能付き非接触タグの前記受信手段に対して、電磁誘導または電磁波で電力を伝送する送信手段を備えるようにした。
【００１０】
このような構成からなる本発明の表示機能付き非接触タグによれば、非接触タグのメモリに格納される表示データを再表示する場合に、リーダライタ側からのコマンドデータなどに依存することなく再表示できる。さらに、表示可能なデータを再表示することができる。
また、本発明の非接触タグシステムによれば、非接触タグのメモリに格納される表示データを非接触タグに再表示する場合に、リーダライタ側が簡易な構成であっても、非接触タグ側ではその表示データを再表示できる。
【発明を実施するための最良の形態】
【００１１】
以下、本発明の実施の形態について図面を参照して説明する。
図１は、本発明の非接触タグシステムの第１実施形態の全体の構成例を示すブロック図である。
この第１実施形態に係る非接触タグシステムは、図１に示すように、コンピュータなどの上位装置３と接続されるリーダライタ１と、このリーダライタ１との間で非接触によりデータの授受や電力の伝送を行う表示機能付き非接触タグ（以下、非接触タグという）２と、を備えている。
【００１２】
そして、この非接触タグシステムは、電磁誘導または電磁波により、リーダライタ１からのデータおよび電力を非接触タグ２が受信すると、非接触タグ２はその受信した電力を用いて自己のメモリに格納する表示データを表示するようになっている。
ここで、上記の非接触タグ２は、非接触ＩＣカード、ＲＦ−ＩＤ（ＲＦタグ）など、リーダライタとの間で電磁誘導または電磁波により、すなわち非接触でデータの授受および電力の伝送ができるものを含む。
【００１３】
次に、リーダライタ１の具体的な構成について、図１を参照して説明する。
このリーダライタ１は、図１に示すように、制御回路１１と、送信回路１２と、受信回路１３と、アンテナ１４とを備えている。
制御回路１１は、コンピュータなどの上位装置３と接続され、その上位装置３との間でデータの授受を行うようになっている。また、制御回路１１は、必要な送信データを生成し、その生成した送信データを送信回路１２に送るようになっている。さらに、制御回路１１は、受信回路１３がデータを受信した場合には、その受信データを受け取るとともに、必要な場合にはその受信データを上位装置３に転送するようになっている。
【００１４】
送信回路１２は、制御回路１１から送信データが出力されるときには、その送信データで搬送波を変調して変調波を生成し、この生成した変調波をアンテナ１４に供給するようになっている。受信回路１３は、アンテナ１４が受信した電波から送信データを復調し、この復調データを制御回路１１に出力するようになっている。また、アンテナ１４は、送信回路１２からの変調波を受け取って電磁波の形態で放射したり、非接触タグ２のアンテナ２１から放射される電波を受信するためのものである。
【００１５】
次に、非接触タグ２の具体的な構成について、図１を参照して説明する。
この非接触タグ２は、図１に示すように、アンテナ２１と、受信回路２２と、送信回路２３と、整流回路２４と、制御回路２５と、表示器２６と、不揮発性メモリ２７と、を備えている。
アンテナ２１は、リーダライタ１のアンテナ１４から放射される電磁波または電磁誘導による電圧を誘起させ、または送信回路２３からの変調波を受け取って電磁波の形態で放射するためのものである。受信回路２２は、アンテナ２１が受信した電磁波に基づいて受信データを復調し、この復調データを制御回路２５に出力するようになっている。また、送信回路２３は、制御回路２５から送信データが出力されるときには、その送信データで搬送波を変調して変調波を生成し、この生成した変調波をアンテナ２１に供給するようになっている。
【００１６】
整流回路２４は、アンテナ２１が受信する電磁波または電磁誘導に基づいて誘起される電圧を整流して整流電圧を生成するようになっている。この整流回路２４の整流電圧は、受信回路２２、送信回路２３、制御回路２５、および表示器２６の各電源電圧としてその各部に供給されるようになっている。
制御回路２５は、受信回路２２がデータを受信した場合にはその復調データを受け取り、所定の処理を行うようになっている。また、制御回路２５は、必要な送信データを生成し、その生成した送信データを送信回路２３に送るようになっている。
【００１７】
さらに、制御回路２５は、非接触タグ２がリーダライタ１に接近し、整流回路２４の整流電圧を使用して起動され、この起動を条件に、不揮発性メモリ２７に格納される表示データを表示器２６に表示するようになっている。この点の表示制御の詳細については、後述する。
表示器２６は、各種の表示が可能であるとともに、後述のように不揮発性メモリ２７に格納される表示データを表示するものである。この表示器２６は、例えば電気泳動型の表示器のように、その表示内容が書き換えできる上に、一定時間にわたって保存性（メモリ性）があるものが使用される。不揮発性メモリ２７は、書き換え自在な不揮発性メモリであって、表示器２６に表示すべき表示データなどを格納するようになっている。
【００１８】
次に、このような構成からなる第１実施形態に係る非接触タグシステムの動作例について、図面を参照して説明する。
まず、非接触タグ２が、リーダライタ１からの表示データを受信し、この受信データを表示する場合の動作について、図１を参照して説明する。
この場合には、非接触タグ２をリーダライタ１に接近させ、両者の間で所定のコマンドの授受を行い、通信が可能である場合に通信を開始する。通信が開始されると、リーダライタ１の制御回路１１では表示データを作成し、送信回路１２に出力する。送信回路１２では、その表示データにより搬送波が変調されて変調波が生成され、この生成された変調波はアンテナ１４に供給される。
【００１９】
そして、非接触タグ２のアンテナ２１が、その変調波を受信すると、受信回路２２はその変調波から表示データを復調する。この復調された表示データは、制御回路２５により不揮発性メモリ２７に書き込まれるとともに、表示器２６に表示される。
このように非接触タグ２が受信した表示データは、非接触タグ２をリーダライタ１から遠ざけても、不揮発性メモリ２７に記憶されている。
【００２０】
次に、上記のように、非接触タグ２の不揮発性メモリ２７に記憶された表示データを、表示器２６に再表示する場合の第１の動作例について、図１および図２を参照して説明する。
いま、非接触タグ２をリーダライタ１に接近させると、アンテナ２１には、リーダライタ１のアンテナ１４から放射される電磁波または電磁誘導に基づいて電圧が誘起される。整流回路２４は、その誘起電圧の整流動作を行い、この整流電圧が制御回路２５や表示器２６に電源電圧として供給される。
【００２１】
そして、整流回路２４の整流電圧により各部の電源（パワー）がオン状態になると（ステップＳ１）、この電源のオンに応じて各部がリセット（初期化）される（ステップＳ２）。次に、制御回路２５は、不揮発性メモリ２７に記憶される表示データを読み出し（ステップＳ３）、この読み出した表示データを表示器２６に書き込む（ステップＳ４）。これにより、その表示データが表示器２６に表示される。
【００２２】
その後、制御回路２５は、受信回路２２がリーダライタ１からのコマンドを受信する待機状態となる（ステップＳ５）。すなわち、制御回路２５は、そのコマンドに優先して上記の表示制御を行う。その後、受信回路２２がコマンドを受信すると、所定の一連の通信処理を開始する。
次に、非接触タグ２の不揮発性メモリ２７に記憶されている表示データを、表示器２６に再表示する場合の第２の動作例について、図１および図３を参照して説明する。
【００２３】
いま、非接触タグ２をリーダライタ１に接近させると、アンテナ２１には、リーダライタ１のアンテナ１４から放射される電磁波または電磁誘導に基づいて電圧が誘起される。整流回路２４は、その誘起電圧の整流動作を行い、この整流電圧が制御回路２５や表示器２６に電源電圧として供給される。
そして、整流回路２４の整流電圧により各部の電源がオン状態になると（ステップＳ１１）、この電源のオンに応じて各部がリセットされる（ステップＳ１２）。次に、制御回路２５は、不揮発性メモリ２７に格納される表示データを表示器２６で表示すべき旨の表示フラグが有るか否かを判定する（ステップＳ１３）。ここで、そのフラグは、リーダライタ１からの指示などに基づいてあらかじめ設定されているものとする。
【００２４】
この判定の結果、表示フラグがある場合には次のステップＳ１４に進む。ステップＳ１４では、制御回路２５が、不揮発性メモリ２７に記憶される表示データを読み出し、この読み出した表示データを表示器２６に書き込む（ステップＳ１５）。これにより、その表示データが表示器２６に表示される。
一方、ステップＳ１３において、表示フラグがないと判定された場合には、次のステップＳ１６に進む。ステップＳ１６では、制御回路２５は、受信回路２２がリーダライタ１からのコマンドを受信する待機状態となる。そして、受信回路２２がコマンドを受信すると、所定の一連の通信処理が開始される。
【００２５】
以上説明したように、この実施形態の非接触タグ２によれば、不揮発性メモリ２７に格納される表示データの再表示を行う場合に、リーダライタ１側からのコマンドデータなどに依存することがなく再表示できる。しかも、表示可能なデータのみを再表示できる。
次に、本発明の非接触タグシステムの第２実施形態の構成について、図４を参照して説明する。
【００２６】
この第２実施形態に係る非接触タグシステムは、図４に示すように、リーダライタ１Ａと、このリーダライタ１Ａから電磁誘導または電磁波によって電力を受信できる非接触タグ２とを備え、非接触タグ２はその受信した電力を用いて自己のメモリに格納する表示データを表示するようにしたものである。
すなわち、この第２実施形態は、図１に示す第１実施形態のリーダライタ１を、図４に示すリーダライタ１Ａに置き換えたものである。従って、他の部分の構成は図１の第１実施形態と同様であるので、同一の構成要素には同一符号を付してその説明は省略する。
【００２７】
リーダライタ１Ａは、送信回路１２とアンテナ１４とからなり、送信回路１２は電源が投入されると、一定の周波数の搬送波を発生し、その発生した搬送波をアンテナ１４に出力するようになっている。すなわち、このリーダライタ１Ａは、非接触タグ２のメモリ２７に格納される表示データを表示器２６に表示するために、非接触タグ２に対して非接触で電力を送信（伝送）する電力伝送専用のリーダライタである。
【００２８】
次に、このような構成からなる第２実施形態に係る非接触タグシステムの動作例について、図４を参照して説明する。
図４に示す非接触タグ２では、不揮発性メモリ２７に記憶される表示データは、リーダライタ１Ａを使用して表示器２６に再表示するのに先立って、図１に示すリーダライタ１を使用して上記のように予め取得しておくものとする。
【００２９】
次に、このように取得した表示データを、図４に示すリーダライタ１Ａを用いて非接触タグ２の表示器２６に再表示する場合の動作例について説明する。
この場合には、非接触タグ２をリーダライタ１Ａに接近させると、アンテナ２１には、リーダライタ１のアンテナ１４から放射される電磁波または電磁誘導に基づいて電圧が誘起される。整流回路２４は、その誘起電圧の整流動作を行い、この整流電圧が制御回路２５や表示器２６に電源電圧として供給される。
【００３０】
そして、整流回路２４の整流電圧により各部の電源がオン状態になると、この電源のオンに応じて各部がリセットされる。次に、制御回路２５は、不揮発性メモリ２７に記憶される表示データを読み出し、これを表示器２６に表示させる。
以上のように、この第２実施形態によれば、非接触タグ２のメモリに格納される表示データを非接触タグ２へ再表示する場合に、リーダライタ１Ａ側の構成を簡易にすることができる。また、リーダライタ１Ａは、図１に示すリーダライタ１と規格が異なる場合でも、再表示を行うことができる。
【図面の簡単な説明】
【００３１】
【図１】本発明の第１実施形態に係る非接触タグシステムの構成を示すブロック図である。
【図２】図１に示す非接触タグの再表示動作の第１の例を説明するフローチャートである。
【図３】図１に示す非接触タグの再表示動作の第２の例を説明するフローチャートである。
【図４】本発明の第２実施形態に係る非接触タグシステムの構成を示すブロック図である。
【符号の説明】
【００３２】
１、１Ａ・・・リーダライタ、２・・・非接触タグ、１１・・・制御回路、１２・・・送信回路、１３・・・受信回路、１４・・・アンテナ、２１・・・アンテナ、２２・・・受信回路、２３・・・送信回路、２４・・・整流回路、２５・・・制御回路、２６・・・表示器、２７・・・不揮発性メモリ。
【図１】
2005234679.tif 000003
【図２】
2005234679.tif 000004
【図３】
2005234679.tif 000005
【図４】
2005234679.tif 000006